(57)【要約】【課題】走査部材に無理な駆動力が作用することに起因して走査部材の位置精度に誤差を生じたり走査部材が変形したりすることなく、また、固定部材を容易に見つけ出せる画像読取装置を提供する。【解決手段】本体側壁１０ｃの内側には、差込口７０を開閉自在に遮蔽する遮蔽板７４が配置されている。遮蔽板７４は、回動部７４ａを中心にして矢印Ｃ方向に回動する。回動部７４ａは、固定部材６０を保管するための保管位置７２になっている。保管位置７２に固定部材６０が保管されていないときは、差込口７０の前面は遮蔽板７４で遮蔽されている。固定部材６０を保管位置７２に位置させて、即ち、固定部材６０を回動部７４ａに差し込んで固定部材６０を図４における反時計方向に約９０度回転させることにより、遮蔽板７４が回動して差込口７０の前面が開放される。【選択図】      図４
2006311199.tif 000002
【特許請求の範囲】
【請求項１】
原稿に記載された画像を読み取る読取部が載置された、所定の走査方向に走査する走査部材を備え、該走査部材を前記走査方向に走査させながら前記読取部で画像を読取る画像読取装置において、
所定の固定位置に位置するときに前記走査部材を固定すると共に、前記固定位置とは異なる所定の保管位置に位置するときに、前記走査部材を走査させるための電力を供給できる状態にさせる固定部材を備えたことを特徴とする画像読取装置。
【請求項２】
前記走査部材を走査させる電力を供給するための電気コネクタが差し込まれる差込口と、
この差込口を開閉自在に遮蔽する遮蔽部材とを備え、
前記固定部材を前記保管位置に位置することにより、前記遮蔽部材が開けられて前記差込口に前記電気コネクタを差し込めることを特徴とする請求項１に記載の画像読取装置。
【請求項３】
前記走査部材を走査させる電力を供給するための電源スイッチを備え、
該電源スイッチは、
前記固定部材を前記保管位置に位置するときに操作されるものであることを特徴とする請求項１又は２に記載の画像読取装置。
【請求項４】
前記走査部材を走査させる電力の供給をオンのときに許可し、一方、この供給をオフのときに停止させるインターロックスイッチを備え、
該インターロックスイッチは、
前記固定部材を前記保管位置に位置するときにオンになるものであることを特徴とする請求項１，２，又は３に記載の画像読取装置。
【請求項５】
原稿に記載された画像を読み取る読取部を載置された、所定の走査方向に走査する走査部材を備え、該走査部材を前記走査方向に走査させながら前記読取部で画像を読取る画像読取装置において、
所定の固定位置に位置するときに前記走査部材を固定すると共に、前記固定位置とは異なる所定の解除位置に位置するときに、前記走査部材を走査させる駆動力を該走査部材に伝達できる状態にさせる固定部材を備えたことを特徴とする画像読取装置。
【請求項６】
請求項１から５までのうちのいずれか一項に記載の画像読取装置を備えたことを特徴とする画像形成装置。
【請求項７】
運搬時に装置内の部品を固定する固定部材を備えた、記録媒体に画像を形成する画像形成装置において、
前記固定部材は、所定の固定位置に位置するときに前記部品を固定すると共に、前記固定位置とは異なる所定の保管位置に位置するときに、画像形成装置内に電力または駆動力を供給できる状態にさせることを特徴とする画像形成装置。
【発明の詳細な説明】
【技術分野】
【０００１】
本発明は、所定の走査方向に走査しながら画像を読み取る画像読取装置、及びこの画像読取装置を備えたファクシミリや複写機などの画像形成装置に関する。
【背景技術】
【０００２】
従来、原稿に記載された画像を読み取る読取部が載置されて所定の走査方向に走査する走査部材を備えたファクシミリや複写機などの画像形成装置が知られている。このような画像形成装置では、走査部材を走査方向に走査させながら読取部で画像を読み取り、この読み取った画像を記録媒体に形成する。
【０００３】
上記のような画像形成装置を出荷などで移動したり運搬したりする際は、振動や落下を防止するために、所定の固定部材を用いて走査部材を固定している。この固定部材は、画像形成装置を使用するに先立ってユーザが取り外すものである。
【０００４】
なお、別々の部材として存在していた可動部材固定用の固定部材と設置固定用固定部材とを共通化し、無駄な廃棄物を減らし、また資源としてリサイクルする技術が知られている（特許文献１参照）。
【特許文献１】特開平７−９２８８２号公報
【発明の開示】
【発明が解決しようとする課題】
【０００５】
ところが、ユーザが固定部材を取り外すことを忘れたまま、画像形成装置の電源を投入することがある。この場合、走査部材を走査方向に走査させようとする無理な駆動力が走査部材に作用する。この無理な駆動力に起因して、走査部材の位置精度、即ち、読取部等の位置精度に誤差を生じたり、読取部等が変形したりするおそれがある。
【０００６】
また、上記した固定部材を取り外した後に保管する場所は、ユーザから見え難い画像形成装置の本体内部等であった。このため、画像形成装置を再び運搬するときなどは固定部材を見つけ難いことがある。
【０００７】
このような問題は、特許文献１に開示された技術では解決できない。
【０００８】
本発明は、上記事情に鑑み、走査部材に無理な駆動力が作用することに起因して走査部材の位置精度に誤差を生じたり走査部材が変形したりすることなく、また、固定部材を容易に見つけ出せる画像読取装置及びこの画像読取装置を備えた画像形成装置を提供することを目的とする。
【課題を解決するための手段】
【０００９】
上記目的を達成するための本発明の画像読取装置は、原稿に記載された画像を読み取る読取部が載置された、所定の走査方向に走査する走査部材を備え、該走査部材を前記走査方向に走査させながら前記読取部で画像を読取る画像読取装置において、
（１）所定の固定位置に位置するときに前記走査部材を固定すると共に、前記固定位置とは異なる所定の保管位置に位置するときに、前記走査部材を走査させるための電力を供給できる状態にさせる固定部材を備えたことを特徴とするものである。
【００１０】
ここで、
（２）前記走査部材を走査させる電力を供給するための電気コネクタが差し込まれる差込口と、
（３）この差込口を開閉自在に遮蔽する遮蔽部材とを備え、
（４）前記固定部材を前記保管位置に位置することにより、前記遮蔽部材が開けられて前記差込口に前記電気コネクタを差し込めるようにしてもよい。
【００１１】
また、
（５）前記走査部材を走査させる電力を供給するための電源スイッチを備え、
（６）該電源スイッチは、前記固定部材を前記保管位置に位置するときに操作されるものであってもよい。
【００１２】
さらに、
（７）前記走査部材を走査させる電力の供給をオンのときに許可し、一方、この供給をオフのときに停止させるインターロックスイッチを備え、
（８）該インターロックスイッチは、前記固定部材を前記保管位置に位置するときにオンになるものであってもよい。
【００１３】
また、上記目的を達成するための他の画像読取装置は、原稿に記載された画像を読み取る読取部を載置された、所定の走査方向に走査する走査部材を備え、該走査部材を前記走査方向に走査させながら前記読取部で画像を読取る画像読取装置において、
（９）所定の固定位置に位置するときに前記走査部材を固定すると共に、前記固定位置とは異なる所定の解除位置に位置するときに、前記走査部材を走査させる駆動力を該走査部材に伝達できる状態にさせる固定部材を備えたことを特徴とするものである。
【００１４】
また、上記目的を達成するための画像形成装置は、上記した画像読取装置を備えたことを特徴とするものである。
【００１５】
また、上記目的を達成するための他の画像形成装置は、運搬時に装置内の部品を固定する固定部材を備えた、記録媒体に画像を形成する画像形成装置において、
（１０）前記固定部材は、所定の固定位置に位置するときに前記部品を固定すると共に、前記固定位置とは異なる所定の保管位置に位置するときに、画像形成装置内に電力または駆動力を供給できる状態にさせることを特徴とするものである。
【発明の効果】
【００１６】
本発明の画像読取装置では、固定部材を固定位置から取り外して保管位置に位置させることにより、走査部材を走査させるための電力を供給できる状態に初めてなる。即ち、走査部材が固定部材に固定されているときは、走査部材を走査させるための電力を供給できない。従って、走査部材が固定部材に固定されているときには、走査部材を走査させるための電力が供給されることはない。このため、固定部材で固定されている走査部材に、この走査部材を走査させる駆動力が作用することがない。この結果、走査部材に無理な駆動力が作用することに起因して、走査部材の位置精度に誤差を生じたり、変形したりすることが防止される。また、画像読取装置の作動中は、固定部材が所定の保管位置に位置している（保管されている）ので、固定部材を見つけ出し易い。
【００１７】
また、本発明の他の画像読取装置では、固定部材を解除位置に位置させることにより、走査部材を走査させる駆動力をこの走査部材に伝達できる状態に初めてなる。即ち、走査部材が固定部材に固定されているときは、走査部材を走査させる駆動力を走査部材に伝達できない。従って、走査部材が固定部材に固定されているときには、走査部材を走査させる駆動力が伝達されることはない。このため、固定部材で固定されている走査部材に、この走査部材を走査させる駆動力が作用することがない。この結果、走査部材に無理な駆動力が作用することに起因して、走査部材の位置精度に誤差を生じたり、変形したりすることが防止される。また、画像読取装置の作動中は、固定部材が所定の解除位置に位置している（保管されている）ので、固定部材を見つけ出し易い。
【発明を実施するための最良の形態】
【００１８】
図１を参照して、本発明の画像読取装置を備えた画像形成装置を説明する。
【００１９】
図１は、画像形成装置の一例であるデジタル複写機を示す模式図である。
【００２０】
複写機１０の頂面には、原稿が載置される原稿台ガラス１２と、この原稿台ガラス１２に載置された原稿を押え付ける押付板１４が備えられている。また、原稿ガラス台１２の下方には、原稿ガラス台１２に置かれた原稿の画像を読み取るために走査方向（矢印Ａ方向）に走査する走査部材２０が配置されている。走査部材２０は、駆動ベルト（図示せず）によって駆動されながらガイドレール２３に案内されて原稿ガラス台１２に平行に移動する。駆動ベルトは駆動モータ（図示せず）によって動く。
【００２１】
走査部材２０が走査しないときは停止している。走査部材２０が停止している場合、複写機１０を運搬したときは、運搬による振動などで走査部材２０が揺れて（がたついて）読取精度が狂うおそれがある。そこで、複写機１０を運搬するときなどは、走査部材２０は、図１の一番左側に移動されて固定部材６０で動かないように固定される。この固定状態は、図２を参照して後述する。
【００２２】
走査部材２０には、原稿に記載された画像を読み取る読取部２２などが載置されて固定されている。読取部２２は、原稿ガラス台１２に載置された原稿を照射して露光するための照明ランプ（図示せず）を有しており、原稿からの反射光を、読取部２２に設けられたセルホックレンズアレイを通してＣＣＤ素子（図示せず）に結像させる。さらに、走査部材２０の下方には、ＣＣＤ素子から出力された信号を光信号に変換して照射光を発する露光制御部を有するレーザユニット２６や、このレーザユニット２６からのレーザ光を感光ドラム３０に照射する折り返しミラー２８などの光学部品が配置されている。
【００２３】
レーザユニット２６の下方には、矢印Ｂ方向に回転する円筒状の感光ドラム３０が配置されている。この感光ドラム３０の周辺には、感光ドラム３０の表面を一様に帯電する帯電器３２、感光ドラム３０に形成された静電潜像にトナー（現像剤）を供給して現像像を形成する現像装置３４、この現像像を記録紙などの記録媒体に転写する転写帯電器３６、及び転写後に感光ドラム３０に残留したトナーを除去するクリーニング装置３８などが、感光ドラム３０の回転方向（矢印Ｂ方向）に順次に配置されている。
【００２４】
感光ドラム３０と転写帯電器３６とに挟まれた空間は、現像像が記録媒体に転写される転写領域である。転写領域よりも記録媒体搬送方向下流側には、搬送ベルト４０が複写機１０の出口に向かって延びている。この搬送ベルト４０の出口側には、記録媒体に現像像を定着させる定着装置４２が配置されている。
【００２５】
定着装置４２には，ヒータが内蔵された定着ローラ４２ａとこの定着ローラ４２ａに圧接する加圧ローラ４２ｂが配置されている。転写像を記録媒体に定着する際は、定着ローラ４２ａと加圧ローラ４２ｂとで記録媒体を挟持して転写像を所定の定着温度で加熱すると同時に加圧する。この加熱と加圧で転写像が記録媒体に定着される。
【００２６】
搬送ベルト４０の下方には、記録媒体を同一サイズ毎に収容しておく給紙カセット５０が配置されている。この給紙カセット５０の出口には、給紙カセット５０に収容されている記録媒体を送り出す給紙ローラ５２が設けられている。給紙カセット５０の内部には、多数枚の記録媒体が積載される中板５４と、この中板５４の長手方向一端部を給紙ローラ５２に向けて付勢する中板加圧ばね５６が配置されている。給紙ローラ５２によって送り出された記録媒体は、搬送ローラ５８などによって案内されながら転写領域に向けて搬送される。搬送ローラ５８よりも搬送方向下流側には、感光ドラム３０の回転駆動に同期して回転する一対のレジストローラ５９が配置されている。
【００２７】
複写機１０では、読取部２２によって読み取られた原稿画像が、帯電器３２によって一様に帯電された感光ドラム３０上に静電潜像として形成される。この静電潜像は現像装置３４から供給されるトナーによって現像されて現像像が形成される。この現像像は、感光ドラム３０の回転に伴って転写領域に移動する。
【００２８】
一方、給紙カセット５０から送り出された記録媒体は、搬送ローラ５８などによってレジストローラ５９まで案内され、レジストローラ５９から所定のタイミングで転写領域に搬送される。転写領域に搬送された記録媒体には、転写帯電器３６によってトナー像が転写される。トナー像が転写された記録媒体は搬送ベルト４０によって定着装置４２に送り込まれて転写像が記録媒体に定着され、その後、排出される。なお、上記した給紙カセット５０は、図１の紙面の前方から複写機１０の本体１１に着脱自在に装着される。給紙カセット５０は、本体１１に形成されたガイドレール５１に案内されながら着脱される。
【００２９】
図２を参照して、固定部材６０が走査部材２０を固定する状態を説明する。
【００３０】
図２（ａ）は、固定部材を示す斜視図であり、（ｂ）は、固定部材で固定された走査部材を示す上面図である。
【００３１】
固定部材６０は円柱状のものであり、円柱体６２の長手方向（高さ方向）一端部には、円板６４が形成されている。また、円柱体６２の長手方向中央部から他端部にかけては、一対の凸部６６が形成されている。この凸部６６は、円柱体６２の円周面から、円柱体６２の長手方向に直交する方向（円柱体６２の径方向）に突出している。一対の凸部６６は、ほぼ一直線上に配置されている。
【００３２】
走査部材２０の側壁２０ａには、固定部材６０の円柱体６２と一対の凸部６６が差し込まれる孔２０ｂが形成されている。また、複写機１０の本体壁１０ａにも、孔２０ｂと同じ形状の孔１０ｂが形成されている。走査部材２０を本体壁１０ａに接近させて、走査部材２０の側壁２０ａを本体壁１０ａに向き合わせた状態にした場合、側壁２０ａの孔２０ｂと本体壁１０ａの孔１０ｂが一致する。この状態で、固定部材６０を長手方向他端部（円板６４とは反対の部分）から孔１０ｂに差し込み、続いて孔２０ｂに差し込んで、一対の凸部６６を孔２０ｂから出す。その後、円板６４を約９０度回転させる。これにより、走査部材２０が本体壁１０ａに固定される。固定部材６０が走査部材２０を本体壁１０ａに固定している位置が、本発明にいう固定位置である。
【００３３】
複写機１０を使用するときは、固定部材６０を孔１０ｂ，２０ｂから抜き取って所定の保管位置に保管する。従って、固定部材６０が上記の固定位置に位置するときのみに走査部材２０を固定する。また、固定部材６０が、後述するように、保管位置に位置するときのみに、走査部材２０を走査させるための電力が供給される状態になる。このため、走査部材２０が固定部材６０に固定されているときは、走査部材２０を走査させるための電力を供給できない。従って、走査部材２０が固定部材６０に固定されているときには、走査部材２０を走査させるための電力が供給されることはない。このため、固定部材６０で固定されている走査部材２０に、この走査部材２０を走査させる駆動力が作用することがない。この結果、走査部材２０に無理な駆動力が作用することに起因して、走査部材２０の位置精度に誤差を生じたり、変形したりすることが防止される。また、複写機１０の作動中は、固定部材６０が所定の保管位置に位置している（保管されている）ので、固定部材６０を見つけ出し易い。
【００３４】
保管位置について説明する。
【００３５】
図３から図５までを参照して、保管位置の第１例を説明する。
【００３６】
図３は、本体側壁に配置された電気コネクタを内側から見た斜視図である。図４は、遮断部材が開けられた電気コネクタを内側から見た斜視図である。図５は、電気コネクタが配置された本体側壁を外側から見た斜視図であり、この図５は、固定部材６０を保持位置７２に差し込んで遮蔽板７４を回動した図であるが、説明のため保持部材６０を図示していない。
【００３７】
走査部材２０（図１等参照）を走査させるためには、電気コネクタ（図示せず）を差込口７０に差し込む。これにより、走査部材２０（図１等参照）を走査させる電力が複写機１０に供給される。差込口７０は、複写機１０の本体側壁１０ｃの内側（装置内部側）に配置されており、差込口７０の前面は本体側壁１０ｃからやや引っ込んだ位置に配置されている。差込口７０の前面は、後述する遮蔽板７４で遮蔽される（塞がれる）。また、本体側壁１０ｃのうち差込口７０に近い部分には、固定部材６０を保管するための保管位置７２が形成されている。
【００３８】
また、本体側壁１０ｃの内側には、差込口７０を開閉自在に遮蔽する遮蔽板７４（本発明にいう遮蔽部材の一例である）が配置されている。遮蔽板７４は、回動部７４ａを中心にして矢印Ｃ方向に回動する。回動部７４ａは、固定部材６０を保管するための保管位置７２になっている。保管位置７２に固定部材６０が保管されていないときは、図３に示すように、差込口７０の前面は遮蔽板７４で遮蔽されている。固定部材６０を保管位置７２に位置させて、即ち、固定部材６０を、図４に示すように、回動部７４ａに差し込んで固定部材６０を図４における反時計方向（図５では時計方向）に約９０度回転させることにより、遮蔽板７４が回動して差込口７０の前面が開放される。従って、差込口７０に電気コネクタを差し込んで、走査部材２０を走査させる電力を複写機１０に供給できる。
【００３９】
以上のように、複写機１０では、固定部材６０を固定位置（固定部材６０が孔１０ｂ，２０ｂに差し込まれている位置）から取り外して保管位置７２に位置させることにより、走査部材２０を走査させるための電力を供給できる状態に初めてなる。即ち、走査部材２０が固定部材６０に固定されているときは、差込口７０の前面が遮蔽板７４で遮蔽されているので、走査部材２０を走査させるための電力を供給できない。従って、走査部材２０が固定部材６０によって固定されているときには、走査部材２０を走査させるための電力が供給されることはない。このため、固定部材６０で固定されている走査部材２０に、この走査部材２０を走査させる駆動力が作用することがない。この結果、走査部材２０に無理な駆動力が作用することに起因して、走査部材２０の位置精度に誤差を生じたり、変形したりすることが防止される。また、複写機１０の作動中は、固定部材６０が保管位置７２に位置している（保管されている）ので、固定部材６０を見つけ出し易い。
【００４０】
図６と図７を参照して、保管位置の第２例を説明する。
【００４１】
図６は、固定された状態の電源スイッチを示す斜視図である。図７は、固定が解除された電源スイッチを示す斜視図である。
【００４２】
複写機１０の側壁１０ｄには、複写機１０に電力を供給して走査部材２０（図１参照）を走査するための手動の電源スイッチ８０が配置されている。電源スイッチ８０は、リンク部材８２によって電源基板（図示せず）上のシーソースイッチに連結されている。リンク部材８２は、カム機構によって電源スイッチ８０のオンオフに連動して回動するカム部８４と、このカム部８４の回動に連動して回動するリンク軸８６を備えている。リンク軸８６のうちカム部８４に直接に連結している部分８６ａは自在に上下動できるようになっており、カム部８４の回動に伴ってリンク軸８６が矢印Ａ方向に回動する。
【００４３】
また、リンク軸８６の近傍には、固定部材６０が保管位置に位置していないときにリンク軸８６の回動を禁止するストッパ板８８が形成されている。リンク軸８６の下方には、固定部材６０を保管位置に保管するための保管孔８９が形成されている。
【００４４】
固定部材６０が保管位置に無い（即ち、保管孔８９に差し込まれていない）ときは、図６に示すように、リンク軸８６は保管孔８９をほぼ塞ぐようになっており、さらに、この状態では、ストッパ板８８によってリンク軸８６は回動できない。
【００４５】
固定部材６０を保管孔８９に差し込むことにより、図７に示すように、リンク軸８６が固定部材６０によって持ち上げられる。これにより、リンク軸８６がストッパ板８８の上方に移動して回動できるようになる。即ち、電源スイッチ８０のロックが解除される。
【００４６】
以上のように、複写機１０では、固定部材６０を固定位置から取り外して保管孔８９に差し込むことにより、走査部材２０を走査させるための電力を供給できる状態に初めてなる。即ち、走査部材２０が固定部材６０に固定されているときは、電源スイッチ８０のロックされているので、走査部材２０を走査させるための電力を供給できない。従って、走査部材２０が固定部材６０によって固定されているときには、走査部材２０を走査させるための電力が供給されることはない。このため、固定部材６０で固定されている走査部材２０に、この走査部材２０を走査させる駆動力が作用することがない。この結果、走査部材２０に無理な駆動力が作用することに起因して、走査部材２０の位置精度に誤差を生じたり、変形したりすることが防止される。また、複写機１０の作動中は、固定部材６０が保管孔８９に差し込まれている（保管されている）ので、固定部材６０を見つけ出し易い。
【００４７】
図８を参照して、保管位置の第３例を説明する。
【００４８】
図８（ａ）は、オフ状態のインターロックＳＷを模式的に示す斜視図であり、（ｂ）は、オン状態のインターロックＳＷを模式的に示す斜視図である。
【００４９】
複写機１０の側壁１０ｄの内側には、走査部材２０（図１参照）を走査させる電力の供給をオンのときに許可し、一方、この供給をオフのときに停止させるインターロックスイッチ９０が配置されている。また、側壁１０ｄのうちインターロックスイッチ９０の前方部分には、固定部材６０が差し込まれる保管孔９２が形成されている。この保管孔９２は、保管位置の一例である。固定部材６０が保管位置に無い（即ち、保管孔９２に差し込まれていない）ときは、図８（ａ）に示すように、インターロックスイッチ９０はオフである。従って、走査部材２０（図１参照）を走査させる電力の供給が停止している。一方、固定部材６０が保管位置に有る（即ち、保管孔９２に差し込まれている）ときは、図８（ｂ）に示すように、インターロックスイッチ９０はオンである。従って、走査部材２０（図１参照）を走査させる電力が複写機１０に供給される。
【００５０】
以上のように、複写機１０では、固定部材６０を固定位置から取り外して保管孔９２に差し込むことにより、インターロックスイッチ９０がオンとなり走査部材２０を走査させるための電力を供給できる状態に初めてなる。即ち、走査部材２０が固定部材６０に固定されているときは、インターロックスイッチ９０はオフになっているので、走査部材２０を走査させるための電力を供給できない。従って、走査部材２０が固定部材６０によって固定されているときには、走査部材２０を走査させるための電力が供給されることはない。このため、固定部材６０で固定されている走査部材２０に、この走査部材２０を走査させる駆動力が作用することがない。この結果、走査部材２０に無理な駆動力が作用することに起因して、走査部材２０の位置精度に誤差を生じたり、変形したりすることが防止される。また、複写機１０の作動中は、固定部材６０が保管孔９２に差し込まれている（保管されている）ので、固定部材６０を見つけ出し易い。
【００５１】
図９と図１０を参照して、保管位置の第４例を説明する。
【００５２】
図９は、保管位置に固定部材が保管されていない状態を示す模式図である。図１０は、保管位置に固定部材が保管されている状態を示す模式図である。
【００５３】
複写機１０の側壁１０ｅの内側には、走査部材２０（図１参照）を走査させる電力の供給をオンのときに許可し、一方、この供給をオフのときに停止させるインターロックスイッチ１００が配置されている。側壁１０ｅのうちインターロックスイッチ１００の前方部分には、孔１０ｆが形成されている。側壁１０ｅの外側には、保守点検等のための開閉自在な扉１０２が配置されている。扉１０２の内壁には、孔１０ｆを貫通する突起１０２ａが形成されている。また、側壁１０ｅの上部には、固定部材６０が差し込まれる保管孔１０ｇが形成されている。この保管孔１０ｇの形状は、孔２０ｂ（図２参照）と同じであり、保管孔１０ｇは保管位置の一例である。
【００５４】
保管孔１０ｇの下方には、回転軸１０４ａを中心にして矢印Ｄ方向に付勢されているリンク部材１０４が配置されている。リンク部材１０４の回転軸１０４ａにはばね１０６が固定されており、このばね１０６によって、リンク部材１０４は、矢印Ｄ方向に回転するように付勢されている。
【００５５】
固定部材６０が保管位置に無い（即ち、保管孔１０ｇに差し込まれていない）ときは、図９に示すように、扉１０２が閉じられても突起１０２ａはインターロックスイッチ１００に到達しないので、このインターロックスイッチ１００をオンできない。即ち、インターロックスイッチ１００は扉１０２が閉じられたことを検知できない。従って、この場合、走査部材２０（図１参照）を走査させる電力の供給が停止している。
【００５６】
一方、固定部材６０が保管位置に有る（即ち、保管孔１０ｇに差し込まれている）ときは、図１０に示すように、固定部材６０によってリンク部材１０４がばね１０６の付勢力に打ち勝って矢印Ｄ方向とは反対の方向に回動したままになっている。この状態で、扉１０２が閉じられたときは、図１０の二点鎖線で示すように、リンク部材１０４が突起１０２ａで押されてインターロックスイッチ１００がオンになる。従って、インターロックスイッチ１００は扉１０２が閉じられたことを検知でき、走査部材２０（図１参照）を走査させる電力が複写機１０に供給される。
【００５７】
以上のように、複写機１０では、固定部材６０を固定位置から取り外して保管孔１０ｇに差し込むことにより、インターロックスイッチ１００がオンとなり走査部材２０を走査させるための電力を供給できる状態に初めてなる。即ち、走査部材２０が固定部材６０に固定されているときは、扉１０２を閉じてもインターロックスイッチ１００はオフのままであるので、走査部材２０を走査させるための電力を供給できない。従って、走査部材２０が固定部材６０によって固定されているときには、走査部材２０を走査させるための電力が供給されることはない。このため、固定部材６０で固定されている走査部材２０に、この走査部材２０を走査させる駆動力が作用することがない。この結果、走査部材２０に無理な駆動力が作用することに起因して、走査部材２０の位置精度に誤差を生じたり、変形したりすることが防止される。また、複写機１０の作動中は、固定部材６０が保管孔１０ｇに差し込まれている（保管されている）ので、固定部材６０を見つけ出し易い．
【００５８】
図１１と図１２を参照して、固定部材の他の例を説明する。
【００５９】
図１１は、駆動が解除された状態の固定部材を示す模式図である。図１２は、駆動力が伝達される状態の固定部材を示す模式図である。
【００６０】
複写機１０の側壁１０ｈの内側（複写機１０の本体内部側）には、走査部材２０を矢印Ａ方向に走査させる駆動モータ１１０が配置されている。側壁１０ｈのうち駆動モータ１１０の近傍には、孔１０ｉが形成されている。また、側壁１０ｈよりもやや内側には、駆動モータ１１０が固定された固定壁１０ｊが形成されている。駆動モータ１１０の回転軸１１０ａには駆動ギア１１２が固定されている。なお、駆動モータ１１０の駆動力は、走査部材２０が固定された駆動ベルト（図示せず）に解除ギア１２２を介して伝達される。これにより走査部材２０が矢印Ａ方向に走査する。
【００６１】
駆動モータ１１０の近傍であって、側壁１０ｈと走査部材２０との間には、走査部材２０を固定する固定部材１２０が配置されている。この固定部材１２０は矢印Ｅ方向に手動で移動する。固定部材１２０には、駆動ギア１１２に噛み合う解除ギア１２２が固定されている。また、固定部材１２０には、孔１０ｉを通って側壁１０ｈの外側で曲がった操作部１２４が形成されている。この操作部１２４を矢印Ｅ方向に移動させることにより、固定部材１２０は固定位置（図１１に示す位置）と解除位置（図１２に示す位置）との間を移動する。
【００６２】
固定部材１２０のうち操作部１２４とは反対側の部分には、走査部材２０の一部に引っ掛かって（走査部材２０を係止して）固定する鍵形の固定部１２６が形成されている。固定部材１２０が固定位置に位置するときは、図１１に示すように、駆動ギア１１２と解除ギア１２２が噛み合わないと共に固定部１２６が走査部材２０を固定するので、走査部材２０は固定されたままであり走査できない。
【００６３】
一方、操作部１２４を移動して固定部材１２０を解除位置に移動させたときは、図１２に示すように、駆動ギア１１２と解除ギア１２２が噛み合うと共に固定部１２６が走査部材２０から外れるので、走査部材２０は走査できることとなる。
【００６４】
以上のように、複写機１０では、固定部材１２０を固定位置に位置させることにより、走査部材２０に駆動ギア１１２の駆動力が伝達されない。固定部材１２０で固定されている走査部材２０に、この走査部材２０を走査させる駆動力が作用することがない。この結果、走査部材２０に無理な駆動力が作用することに起因して、走査部材２０の位置精度に誤差を生じたり、変形したりすることが防止される。
【図面の簡単な説明】
【００６５】
【図１】画像形成装置の一例であるデジタル複写機を示す模式図である。
【図２】（ａ）は、固定部材を示す斜視図であり、（ｂ）は、固定部材で固定された走査部材を示す上面図である。
【図３】本体側壁に配置された電気コネクタを内側から見た斜視図である。
【図４】遮断部材が開けられた電気コネクタを内側から見た斜視図である。
【図５】電気コネクタが配置された本体側壁を外側から見た斜視図である。
【図６】固定された状態の電源スイッチを示す斜視図である。
【図７】固定が解除された電源スイッチを示す斜視図である。
【図８】（ａ）は、オフ状態のインターロックＳＷを模式的に示す斜視図であり、（ｂ）は、オン状態のインターロックＳＷを模式的に示す斜視図である。
【図９】保管位置に固定部材が保管されていない状態を示す模式図である。
【図１０】保管位置に固定部材が保管されている状態を示す模式図である。
【図１１】駆動が解除された状態の固定部材を示す模式図である。
【図１２】駆動力が伝達される状態の固定部材を示す模式図である。
【符号の説明】
【００６６】
１０  複写機
２０  走査部材
２２  読取部
６０，１２０  固定部材
７０  差込口
７２  保管位置
７４  遮蔽板
８０  電源スイッチ
８２  リンク部材
８４  カム部
８６  リンク軸
８８  ストッパ板
９０，１００  インターロックスイッチ
１１０  駆動モータ
【図１】
2006311199.tif 000003
【図２】
2006311199.tif 000004
【図３】
2006311199.tif 000005
【図４】
2006311199.tif 000006
【図５】
2006311199.tif 000007
【図６】
2006311199.tif 000008
【図７】
2006311199.tif 000009
【図８】
2006311199.tif 000010
【図９】
2006311199.tif 000011
【図１０】
2006311199.tif 000012
【図１１】
2006311199.tif 000013
【図１２】
2006311199.tif 000014